(57)【要約】      （修正有）【課題】クーラーバッグ本体自体が優れた断熱性を発揮し、魚の保冷状態を長時間良好に保て、軽量に構成でき、外部圧力に対して変形し難く、不使用時にはコンパクトに折畳め、携帯性に優れ、取扱い易く、使い勝手に優れ、構成簡素で、量産に適し、低廉で、経済的な釣用携帯クーラーバッグを提供する。【解決手段】使用時には空気を吹き込み立体化して、釣った魚等を保冷状態で持ち運べ、不使用時には小さく折畳める釣用携帯クーラーバッグであって、合成樹脂製のクーラーバッグ本体は、外がわ二重空気袋Ａ１と、外がわ二重空気袋Ａ１に内装する中間二重空気袋Ａ２と、中間二重空気袋Ａ２に内装する密閉可能な魚収納袋Ａ３とを備え、外がわ二重空気袋Ａ１と中間二重空気袋Ａ２は、多数の区画壁部３、１２を設けた外袋１と内袋１１の間に、吹込部５、１４を介して空気を夫々吹き込めるよう形成する。【選択図】図１
0003152278.tif 000002
【実用新案登録請求の範囲】
【請求項１】
使用時には空気を吹き込み立体化して、釣った魚等を保冷状態で持ち運べるように形成し、不使用時には小さく折畳めるように形成した釣用携帯クーラーバッグであって、合成樹脂製のクーラーバッグ本体を有し、このクーラーバッグ本体は、外がわ二重空気袋と、この外がわ二重空気袋に内装される中間二重空気袋と、この中間二重空気袋に内装されると共に、その開口部分を開閉部によって密閉可能となるよう形成されて、海水や氷塊と共に魚等を収納可能な魚収納袋とを備え、外がわ二重空気袋は、多数の区画壁部が設けられている外袋と内袋の間に、吹込部を介して空気を吹き込むことができるよう形成され、中間二重空気袋は、多数の区画壁部が設けられている外袋と内袋の間に、吹込部を介して空気を吹き込めるように形成したことを特徴とする釣用携帯クーラーバッグ。
【請求項２】
使用時には空気を吹き込み立体化して、釣った魚等を保冷状態で持ち運べるように形成し、不使用時には小さく折畳めるように形成した釣用携帯クーラーバッグであって、合成樹脂製のクーラーバッグ本体と、このクーラーバッグ本体を収納可能に形成されると共に、ベルトが固定されてクーラーバッグ本体を肩掛け或いは手提げ状態で持ち運び可能となるよう形成される外装体とからなり、クーラーバッグ本体は、外がわ二重空気袋と、この外がわ二重空気袋に内装される中間二重空気袋と、この中間二重空気袋に内装されると共に、その開口部分を開閉部によって密閉可能となるよう形成されて、海水や氷塊と共に魚等を収納可能な魚収納袋とを備え、外がわ二重空気袋は、多数の区画壁部が設けられている外袋と内袋の間に、吹込部を介して空気を吹き込むことができるよう形成され、中間二重空気袋は、多数の区画壁部が設けられている外袋と内袋の間に、吹込部を介して空気を吹き込めるように形成したことを特徴とする釣用携帯クーラーバッグ。
【請求項３】
使用時には空気を吹き込み立体化して、釣った魚等を保冷状態で持ち運べるように形成し、不使用時には小さく折畳めるように形成した釣用携帯クーラーバッグであって、合成樹脂製のクーラーバッグ本体と、このクーラーバッグ本体に固定されて、クーラーバッグ本体を肩掛け或いは手提げ状態で持ち運び可能となるようなベルトとからなり、クーラーバッグ本体は、その開口部分を開閉部によって密閉可能となるよう形成される外がわ二重空気袋と、この外がわ二重空気袋に隙間空間を介して内装されると共に、その開口部分を開閉部によって密閉可能となるよう形成される中間二重空気袋と、この中間二重空気袋に内装されると共に、その開口部分を開閉部によって密閉可能となるよう形成されて、海水や氷塊と共に魚等を収納可能な魚収納袋とを備え、外がわ二重空気袋は、多数の区画壁部が設けられている外袋と内袋の間に、吹込部を介して外部から空気を吹き込むことができるよう形成され、中間二重空気袋は、多数の区画壁部が設けられている外袋と内袋の間に、吹込部を介して外部から空気を吹き込めるよう形成され、外がわ二重空気袋と中間二重空気袋の間には、空気層となる隙間空間が設けられるように形成すると共に、この隙間空間に吹込部を介して外部から空気が吹き込めるように形成したことを特徴とする釣用携帯クーラーバッグ。
【請求項４】
外がわ二重空気袋及び中間二重空気袋夫々の区画壁部を、外袋と内袋とを線状に部分溶着する溶着手段によって構成すると共に、外袋と内袋の周胴部の周囲に沿って適宜間隔で複数条配するように構成したことを特徴とする請求項１乃至請求項３いずれか記載の釣用携帯クーラーバッグ。
【考案の詳細な説明】
【技術分野】
【０００１】
本考案は、使用時には空気を吹き込み立体化して、釣った魚等を保冷状態で持ち運べるように形成し、不使用時には小さく折畳めるように形成した釣用携帯クーラーバッグであって、特に、軽量で、持ち運び易く、断熱効果が高く、魚を確実に保冷でき、取扱い易く、使い勝手に優れ、しかも、構成が簡素で、量産に適し、低廉で、経済的に優れた釣用携帯クーラーバッグに関するものである。
【背景技術】
【０００２】
従来、この種の釣用携帯クーラーバッグとしては、例えば、特許文献１に示すような鮮魚等の収容バッグが開示されており、これは、内部に鮮魚、生肉等の要保冷物を収容し、該要保冷物を保冷状態で輸送または保存するための鮮魚等の収容バッグであって、一側に鮮魚等の要保冷物を出し入れし、開閉可能な口部を備え、少なくとも外側に断熱材層、内側に要保冷物を被包する被包材層を備え、さらに断熱材層と被包材層の間に冷却ガスを封入可能とする中空層を備えてなる袋本体と、袋本体に備えられ、中空層内に冷却ガスを封入可能とする充填口と、を備えたものである。
【先行技術文献】
【特許文献】
【０００３】
【特許文献１】特開平７−２４３７４１号公報
【考案の概要】
【考案が解決しようとする課題】
【０００４】
ところが、前述の如き鮮魚等の収容バッグにあっては、まぐろ、カンパチ等の高級魚用に開発されたもので、外側の断熱材層は、グラスウール、不織布等で構成すると共に、その外側に合成ゴムシートや、合成樹脂シート等の材料で形成される防水材層を設け、内側の被包材層は、ウレタンシート、スポンジシート等で構成すると共に、その外側にグラスウール、不織布等で構成される内側断熱材層を設けてあるため、小さく折畳むことができない難点や、材料自体が高く、高価なものとなってしまう難点があった。すなわち、一般的な（趣味の）釣り人が利用する釣用携帯クーラーバッグとしては、適さないものであった。
【０００５】
そこで、本考案は、前述の如き難点等を解消して、使用時には空気を吹き込み立体化して使用でき、不使用時には小さく折畳んでおけ、軽量で、持ち運び易く、しかも、断熱効果が高く、魚を確実に保冷でき、取扱い易く、使い勝手に優れ、更に、構成が簡素で、量産に適し、低廉で、経済的な釣用携帯クーラーバッグを提供できるようにすべく案出されたものである。
【課題を解決するための手段】
【０００６】
しかして、前述の如き課題を達成できるようにすべく、請求項１記載の釣用携帯クーラーバッグにあっては、使用時には空気を吹き込み立体化して、釣った魚等を保冷状態で持ち運べるように形成し、不使用時には小さく折畳めるように形成した釣用携帯クーラーバッグであって、合成樹脂製のクーラーバッグ本体Ａを有し、このクーラーバッグ本体Ａは、外がわ二重空気袋Ａ１と、この外がわ二重空気袋Ａ１に内装される中間二重空気袋Ａ２と、この中間二重空気袋Ａ２に内装されると共に、その開口部分を開閉部２０によって密閉可能となるよう形成されて、海水や氷塊と共に魚等を収納可能な魚収納袋Ａ３とを備え、外がわ二重空気袋Ａ１は、多数の区画壁部３が設けられている外袋１と内袋２の間に、吹込部５を介して空気を吹き込むことができるよう形成され、中間二重空気袋Ａ２は、多数の区画壁部１２が設けられている外袋１０と内袋１１の間に、吹込部１４を介して空気を吹き込めるように形成する手段を採用した。
【０００７】
また、請求項２記載の釣用携帯クーラーバッグにあっては、使用時には空気を吹き込み立体化して、釣った魚等を保冷状態で持ち運べるように形成し、不使用時には小さく折畳めるように形成した釣用携帯クーラーバッグであって、合成樹脂製のクーラーバッグ本体Ａと、このクーラーバッグ本体Ａを収納可能に形成されると共に、ベルトＢが固定されてクーラーバッグ本体Ａを肩掛け或いは手提げ状態で持ち運び可能となるよう形成される外装体Ｃとからなり、クーラーバッグ本体Ａは、外がわ二重空気袋Ａ１と、この外がわ二重空気袋Ａ１に内装される中間二重空気袋Ａ２と、この中間二重空気袋Ａ２に内装されると共に、その開口部分を開閉部２０によって密閉可能となるよう形成されて、海水や氷塊と共に魚等を収納可能な魚収納袋Ａ３とを備え、外がわ二重空気袋Ａ１は、多数の区画壁部３が設けられている外袋１と内袋２の間に、吹込部５を介して空気を吹き込むことができるよう形成され、中間二重空気袋Ａ２は、多数の区画壁部１２が設けられている外袋１０と内袋１１の間に、吹込部１４を介して空気を吹き込めるように形成する手段を採用した。
【０００８】
更に、請求項３記載の釣用携帯クーラーバッグにあっては、使用時には空気を吹き込み立体化して、釣った魚等を保冷状態で持ち運べるように形成し、不使用時には小さく折畳めるように形成した釣用携帯クーラーバッグであって、合成樹脂製のクーラーバッグ本体Ａと、このクーラーバッグ本体Ａに固定されて、クーラーバッグ本体Ａを肩掛け或いは手提げ状態で持ち運び可能となるようなベルトＢとからなり、クーラーバッグ本体Ａは、その開口部分を開閉部４によって密閉可能となるよう形成される外がわ二重空気袋Ａ１と、この外がわ二重空気袋Ａ１に隙間空間を介して内装されると共に、その開口部分を開閉部１３によって密閉可能となるよう形成される中間二重空気袋Ａ２と、この中間二重空気袋Ａ２に内装されると共に、その開口部分を開閉部２０によって密閉可能となるよう形成されて、海水や氷塊と共に魚等を収納可能な魚収納袋Ａ３とを備え、外がわ二重空気袋Ａ１は、多数の区画壁部３が設けられている外袋１と内袋２の間に、吹込部５を介して外部から空気を吹き込むことができるよう形成され、中間二重空気袋Ａ２は、多数の区画壁部１２が設けられている外袋１０と内袋１１の間に、吹込部１４を介して外部から空気を吹き込めるよう形成され、外がわ二重空気袋Ａ１と中間二重空気袋Ａ２の間には、空気層となる隙間空間が設けられるように形成すると共に、この隙間空間に吹込部１６を介して外部から空気が吹き込めるように形成する手段を採用した。
【０００９】
そして、請求項４記載の釣用携帯クーラーバッグにあっては、外がわ二重空気袋Ａ１及び中間二重空気袋Ａ２夫々の区画壁部３、１２を、外袋１、１０と内袋２、１１とを線状に部分溶着する溶着手段によって構成すると共に、外袋１、１０と内袋２、１１の周胴部の周囲に沿って適宜間隔で複数条配するように構成する手段を採用した。
【考案の効果】
【００１０】
従って、請求項１記載の釣用携帯クーラーバッグによれば、合成樹脂製の外がわ二重空気袋Ａ１と中間二重空気袋Ａ２とで、クーラーバッグ本体Ａ内を確実に区画できるようになり、クーラーバッグ本体Ａ自体が優れた断熱性を発揮するようになる。すなわち、魚収納袋Ａ３内に海水や氷塊と共に収納される魚の保冷状態を、長時間良好に保つことができるようになる。
しかも、クーラーバッグ本体Ａ自体を軽量に構成することができるようになると共に、不使用時にはコンパクトに折畳むことが可能となり、携帯性に優れ、持ち運び易く、取扱い易くて、使い勝手の優れたものとなる。
加えて、構成が簡素となり、量産に適し、低廉で、経済的なものとなる。すなわち、一般的な（趣味の）釣り人が利用する釣用携帯クーラーバッグとして最適なものとなる。
【００１１】
特に、外がわ二重空気袋Ａ１と中間二重空気袋Ａ２は、外袋１、１０と内袋２、１１の間に、多数の区画壁部３、１２を設けてあるので、外がわ二重空気袋Ａ１と中間二重空気袋Ａ２夫々の強度が増すようになり、しかも、空気を充填したときに、外部圧力に対して変形し難いものとなる。
【００１２】
そして、外がわ二重空気袋Ａ１は、外袋１と内袋２の間に、吹込部５を介して空気を吹き込むことができるよう形成され、中間二重空気袋Ａ２は、外袋１０と内袋１１の間に、吹込部１４を介して空気を吹き込めるよう形成してあるので、夫々独立して空気を吹き込めるようになり、取扱い易いものとなる。
【００１３】
また、請求項２記載の釣用携帯クーラーバッグによれば、外がわ二重空気袋Ａ１と中間二重空気袋Ａ２とで、クーラーバッグ本体Ａ内を確実に区画できるようになり、クーラーバッグ本体Ａ自体が優れた断熱性を発揮するようになる。すなわち、魚収納袋Ａ３内に海水や氷塊と共に収納される魚の保冷状態を、長時間良好に保つことができるようになる。
しかも、クーラーバッグ本体Ａ自体を軽量に構成することができるようになると共に、不使用時にはコンパクトに折畳むことが可能となり、携帯性に優れ、持ち運び易く、取扱い易くて、使い勝手の優れたものとなる。
更に、外装体Ｃと、この外装体Ｃに固定されるベルトＢとによって、クーラーバッグ本体Ａを安定的に且つ確実に収納できると共に、クーラーバッグ本体Ａを肩掛けや手提げ状態で簡単に持ち運びできるようになる。
加えて、構成が簡素となり、量産に適し、低廉で、経済的なものとなる。すなわち、一般的な（趣味の）釣り人が利用する釣用携帯クーラーバッグとして最適なものとなる。
【００１４】
特に、外がわ二重空気袋Ａ１と中間二重空気袋Ａ２は、外袋１、１０と内袋２、１１の間に、多数の区画壁部３、１２を設けてあるので、外がわ二重空気袋Ａ１と中間二重空気袋Ａ２夫々の強度が増すようになり、しかも、空気を充填したときに、外部圧力に対して変形し難いものとなる。
【００１５】
そして、外がわ二重空気袋Ａ１は、外袋１と内袋２の間に、吹込部５を介して空気を吹き込むことができるよう形成され、中間二重空気袋Ａ２は、外袋１０と内袋１１の間に、吹込部１４を介して空気を吹き込めるよう形成してあるので、夫々独立して空気を吹き込めるようになり、取扱い易いものとなる。
【００１６】
更に、請求項３記載の釣用携帯クーラーバッグによれば、外がわ二重空気袋Ａ１と中間二重空気袋Ａ２とこれらの間の隙間空間とで、クーラーバッグ本体Ａ内を確実に区画できるようになり、クーラーバッグ本体Ａ自体がより優れた断熱性を発揮するようになる。すなわち、魚収納袋Ａ３内に海水や氷塊と共に収納される魚の保冷状態を、長時間良好に保つことができるようになる。
しかも、クーラーバッグ本体Ａ自体を軽量に構成することができるようになると共に、不使用時にはコンパクトに折畳むことが可能となり、携帯性に優れ、持ち運び易く、取扱い易くて、使い勝手の優れたものとなる。
加えて、構成が簡素となり、量産に適し、低廉で、経済的なものとなる。すなわち、一般的な（趣味の）釣り人が利用する釣用携帯クーラーバッグとして最適なものとなる。
また、ベルトＢによって、肩掛けや手提げ状態で簡単に持ち運びできるようになる。
【００１７】
特に、外がわ二重空気袋Ａ１と中間二重空気袋Ａ２は、外袋１、１０と内袋２、１１の間に、多数の区画壁部３、１２を設けてあるので、外がわ二重空気袋Ａ１と中間二重空気袋Ａ２夫々の強度が増すようになり、しかも、空気を充填したときに、外部圧力に対して変形し難いものとなると共に、ベルトＢによってより持ち運び易いものとなる。
【００１８】
更に、外がわ二重空気袋Ａ１は、外袋１と内袋２の間に、吹込部５を介して外部から空気を吹き込むことができるよう形成され、中間二重空気袋Ａ２は、外袋１０と内袋１１の間に、吹込部１４を介して外部から空気を吹き込めるよう形成され、外がわ二重空気袋Ａ１と中間二重空気袋Ａ２の間の隙間空間に、吹込部１６を介して外部から空気が吹き込めるように形成してあるので、夫々独立して空気を吹き込めるようになり、取扱い易いものとなる。
【００１９】
そして、請求項４記載の釣用携帯クーラーバッグによれば、外がわ二重空気袋Ａ１及び中間二重空気袋Ａ２夫々の区画壁部３、１２を、溶着手段によって簡単に構成できるようになる。
しかも、区画壁部３、１２は、外袋１、１０と内袋２、１１とを線状に部分溶着して形成すると共に、外袋１、１０と内袋２、１１の周胴部の周囲に沿って適宜間隔で複数条配するように構成したので、外がわ二重空気袋Ａ１と中間二重空気袋Ａ２夫々の強度がバランス良く増すようになり、外部圧力に対して変形（屈曲）し難いものとなる。
【図面の簡単な説明】
【００２０】
【図１】本考案を例示する分解斜視図である。
【図２】本考案を例示する概略正断面図である。
【図３】本考案を例示する概略側断面図である。
【図４】本考案の他の実施例を示す概略正断面図である。
【図５】本考案の他の実施例を示す概略側断面図である。
【図６】本考案の他の実施例を示す部分断面図である。
【考案を実施するための形態】
【００２１】
以下、本考案を図示例に基づいて説明すると、次の通りである。
本考案は、主に、一般的な（趣味の）釣り人が利用する釣用携帯クーラーバッグであって、その使用時には空気を吹き込み立体化して、釣った魚等（魚以外のものでも良い）を保冷状態で持ち運べるように形成し、その不使用時には小さく折畳める（コンパクトに丸めておける状態も含む）ように形成したものである。
具体的には、合成樹脂製のクーラーバッグ本体Ａを有し、このクーラーバッグ本体Ａは、外がわ二重空気袋Ａ１と、この外がわ二重空気袋Ａ１に内装される中間二重空気袋Ａ２と、この中間二重空気袋Ａ２に内装されると共に、その開口部分を開閉部２０によって密閉可能となるよう形成されて、海水や氷塊と共に魚等を収納可能な魚収納袋Ａ３とを備えている。
また、外がわ二重空気袋Ａ１は、多数の区画壁部３が設けられている外袋１と内袋２の間に、吹込部５を介して空気を吹き込むことができるように形成し、更に、中間二重空気袋Ａ２は、多数の区画壁部１２が設けられている外袋１０と内袋１１の間に、吹込部１４を介して空気を吹き込めるように形成したものである。
すなわち、外がわ二重空気袋Ａ１と中間二重空気袋Ａ２とで、クーラーバッグ本体Ａ内を確実に区画して、クーラーバッグ本体Ａ自体の断熱性を高められるように形成し、ひいては、魚収納袋Ａ３内に海水や氷塊と共に収納されている魚等の保冷状態を長時間良好に保てるように形成されている。
【実施例】
【００２２】
図１乃至図３に示す釣用携帯クーラーバッグは、可撓性を有する合成樹脂製のクーラーバッグ本体Ａと、このクーラーバッグ本体Ａを収納可能に形成されると共に、ベルトＢが固定されてクーラーバッグ本体Ａを肩掛け或いは手提げ状態で持ち運び可能となるよう形成される可撓性を有する外装体Ｃとからなっている。
そして、クーラーバッグ本体Ａは、外がわ二重空気袋Ａ１と、この外がわ二重空気袋Ａ１に内装される中間二重空気袋Ａ２と、この中間二重空気袋Ａ２に内装されると共に、その開口部分を開閉部２０によって密閉可能となるよう形成されて、海水や氷塊と共に魚等を収納可能な魚収納袋Ａ３とを備え、外がわ二重空気袋Ａ１は、多数の区画壁部３が設けられている外袋１と内袋２の間に、吹込部５を介して空気を吹き込むことができるよう形成され、中間二重空気袋Ａ２は、多数の区画壁部１２が設けられている外袋１０と内袋１１の間に、吹込部１４を介して空気を吹き込めるように形成されている。
【００２３】
また、図４乃至図６に示す釣用携帯クーラーバッグは、合成樹脂製のクーラーバッグ本体Ａと、このクーラーバッグ本体Ａに固定されて、クーラーバッグ本体Ａを肩掛け或いは手提げ状態で持ち運び可能となるようなベルトＢとからなっている。
そして、クーラーバッグ本体Ａは、その開口部分を開閉部４によって密閉可能となるよう形成される外がわ二重空気袋Ａ１と、この外がわ二重空気袋Ａ１に隙間空間を介して内装されると共に、その開口部分を開閉部１３によって密閉可能となるよう形成される中間二重空気袋Ａ２と、この中間二重空気袋Ａ２に内装されると共に、その開口部分を開閉部２０によって密閉可能となるよう形成されて、海水や氷塊と共に魚等を収納可能な魚収納袋Ａ３とを備え、外がわ二重空気袋Ａ１は、多数の区画壁部３が設けられている外袋１と内袋２の間に、吹込部５を介して外部から空気を吹き込むことができるよう形成され、中間二重空気袋Ａ２は、多数の区画壁部１２が設けられている外袋１０と内袋１１の間に、吹込部１４を介して外部から空気を吹き込めるよう形成され、外がわ二重空気袋Ａ１と中間二重空気袋Ａ２の間には、空気層となる隙間空間が設けられるように形成すると共に、この隙間空間に吹込部１６を介して外部から空気が吹き込めるように形成されている。
【００２４】
前記クーラーバッグ本体Ａは、例えば、折畳み自在となるような可撓性を備えた適宜合成樹脂製シート状（或いは、袋状）素材によって構成されたもので、外がわ二重空気袋Ａ１と、中間二重空気袋Ａ２と、魚収納袋Ａ３とからなっている。
しかも、吹込口がクーラーバッグ本体Ａの外表面に突出している吹込部５を利用して、外がわ二重空気袋Ａ１の外袋１と内袋２の間に空気を吹き込んだときに、外がわ二重空気袋Ａ１が中空円柱状に膨らむように形成され、吹込口がクーラーバッグ本体Ａの外表面に突出している吹込部１４を利用して、中間二重空気袋Ａ２の外袋１０と内袋１１の間に空気を吹き込んだときに、中間二重空気袋Ａ２が外がわ二重空気袋Ａ１内で中空円柱状に膨らむように形成されており、軽量で、断熱性に優れたものとなるよう構成されている。
そして、中間二重空気袋Ａ２内に収納される魚収納袋Ａ３内に、釣った魚等を海水（或いは、水）や氷塊（或いは、予め冷凍させた保冷材等）と共に収納することにより、魚等を長時間良好に保冷できるよう構成されている。
ところで、クーラーバッグ本体Ａにあっては、寸法の異なる中間二重空気袋Ａ２を複数内装するようにして、より優れた断熱性が得られるように形成しても良い。
【００２５】
尚、外がわ二重空気袋Ａ１と中間二重空気袋Ａ２の間に、空気層となる隙間空間が設けられるように形成し、吹込口がクーラーバッグ本体Ａの外表面に突出している吹込部１６を利用して、外がわ二重空気袋Ａ１の内袋２と中間二重空気袋Ａ２の外袋１０の間に空気を吹き込んだときに、隙間空間が円筒状に膨らむように形成し、より断熱性に優れたものとなるよう構成しても良い（図４、図５参照）。
【００２６】
前記外がわ二重空気袋Ａ１は、例えば、合成樹脂製の外袋１と、合成樹脂製の内袋２と、外袋１と内袋２の間に形成される多数の区画壁部３と、外袋１と内袋２の間に空気を吹き込み可能となるように形成される吹込部５とを備えており、吹込部５から外袋１と内袋２の間に空気を吹き込んだときに、中空円柱状に膨らむと共に、その形状を維持できるように形成されている。
尚、外袋１及び内袋２の一端がわの開口部分は、開放状態に形成してあっても良いし（図１、図２参照）、或いは、適宜開閉部４を設けて、外がわ二重空気袋Ａ１の開口部分を自在に密閉できるように構成してあっても良い（図４参照）。
【００２７】
加えて、前記外袋１(或いは、外袋１の外表面を覆うような被覆シート材)は、光（太陽光）を反射させるような色彩（例えば、シルバー）に形成され、光による熱の吸収を低減できるように形成しても良い。
【００２８】
前記区画壁部３は、例えば、外袋１と内袋２とを線状（直線状、或いは曲線状でも良い）に部分溶着する溶着（或いは接着）手段によって構成され、更に、外袋１と内袋２の周胴部の周囲に沿って適宜間隔で複数条配するように構成されている。すなわち、複数の区画壁部３は、簡単に且つ確実に構成できて、しかも、外がわ二重空気袋Ａ１自体の強度がバランス良く増すようにして、外部圧力に対して変形（屈曲）し難くなるように構成されている。
【００２９】
前記開閉部４は、例えば、密閉可能なファスナー等が使用され、外がわ二重空気袋Ａ１の開口部分を簡単に開閉できると共に、その気密、水密性が確実に確保できるようなものが採用される。
【００３０】
前記吹込部５は、例えば、偏平なチューブ状の注気弁等が利用され、外袋１と内袋２の間に空気を吹き込み易く、また、吹き込まれた空気を簡単に抜くことができるように形成されたものが望ましい。尚、吹込部５は、外がわ二重空気袋Ａ１の外袋１を貫通するように配されており、クーラーバッグ本体Ａ外部の吹込口から空気を外がわ二重空気袋Ａ１の外袋１と内袋２の間に吹き込めるように形成してある。
【００３１】
前記中間二重空気袋Ａ２は、例えば、合成樹脂製の外袋１０と、合成樹脂製の内袋１１と、外袋１０と内袋１１の間に形成される多数の区画壁部１２と、外袋１０と内袋１１の間に空気を吹き込み可能となるように形成される吹込部１４とを備えており、吹込部１４から外袋１０と内袋１１の間に空気を吹き込んだときに、中空円柱状に膨らむと共に、その形状を維持できるように形成されている。
尚、外袋１０及び内袋１１の開口部分は、開放状態に形成してあっても良いし（図１、図２参照）、或いは、適宜開閉部１３を設けて、中間二重空気袋Ａ２の開口部分を自在に密閉できるように構成してあっても良い（図４参照）。
【００３２】
前記区画壁部１２は、例えば、外袋１０と内袋１１とを線状（直線状、或いは曲線状でも良い）に部分溶着する溶着（或いは接着）手段によって構成され、更に、外袋１０と内袋１１の周胴部の周囲に沿って適宜間隔で複数条配するように構成されている。すなわち、複数の区画壁部１２は、簡単に且つ確実に構成できて、しかも、中間二重空気袋Ａ２自体の強度がバランス良く増すようにして、外部圧力に対して変形（屈曲）し難くなるように構成されている。
【００３３】
前記開閉部１３は、例えば、密閉可能なファスナー等が使用され、中間二重空気袋Ａ２の開口部分を簡単に開閉できると共に、その気密、水密性が確実に確保できるようなものが採用される。
【００３４】
前記吹込部１４は、例えば、偏平なチューブ状の注気弁等が利用され、外袋１０と内袋１１の間に空気を吹き込み易く、また、吹き込まれた空気を簡単に抜くことができるように形成されたものが望ましい。尚、吹込部１４は、外がわ二重空気袋Ａ１の区画壁部３を貫通すると共に、中間二重空気袋Ａ２の外袋１０を貫通するように配されており、クーラーバッグ本体Ａ外部の吹込口から空気を中間二重空気袋Ａ２の外袋１０と内袋１１の間に吹き込めるように形成してある（図６参照）。
【００３５】
図中１５は、外がわ二重空気袋Ａ１と中間二重空気袋Ａ２の間に隙間空間を設けた場合に、この隙間空間内に複数配される連結片を示し、この連結片１５は、外がわ二重空気袋Ａ１の内袋２外表面と中間二重空気袋Ａ２の外袋１０外表面とに両端部分が夫々固着（或いは、溶着、接着）され、外がわ二重空気袋Ａ１と中間二重空気袋Ａ２とを所定間隔に連結できるように形成されたものである（図５参照）。すなわち、外がわ二重空気袋Ａ１に対する中間二重空気袋Ａ２の位置を安定的に維持できるようにすると共に、隙間空間を周方向で均一に維持できるようにして、均一な断熱効果が期待できるように形成したものである。
【００３６】
前記吹込部１６は、例えば、偏平なチューブ状の注気弁等が利用され、外がわ二重空気袋Ａ１と中間二重空気袋Ａ２の間の隙間空間に空気を吹き込み易く、また、吹き込まれた空気を簡単に抜くことができるように形成されたものが望ましい。尚、吹込部１６は、外がわ二重空気袋Ａ１の区画壁部３を貫通するように配されており、クーラーバッグ本体Ａ外部の吹込口から空気を外がわ二重空気袋Ａ１と中間二重空気袋Ａ２の間に吹き込めるように形成してある。
【００３７】
前記魚収納袋Ａ３は、例えば、合成樹脂製で、その開口部分には開閉部２０が設けてある。しかも、この開閉部２０は、例えば、密閉可能なファスナー等が使用され、魚収納袋Ａ３の開口部分を簡単に開閉できると共に、その水密性が確実に確保できるようなものが採用される。
【００３８】
前記ベルトＢは、例えば、クーラーバッグ本体Ａの外周表面に適宜状態で固定（例えば、接着手段や、溶着手段を利用する）されて、クーラーバッグ本体Ａを肩掛け或いは手提げ状態で持ち運び易いように形成したり（図４、図５参照）、或いは、外装体Ｃの外周表面に適宜状態で固定（例えば、接着手段や、縫着手段を利用する）されて、外装体Ｃ内に収納されたクーラーバッグ本体Ａを肩掛け或いは手提げ状態で持ち運び易いように形成してある（図１、図２、図３参照）。
しかも、ベルトＢは、クーラーバッグ本体Ａや外装体Ｃの底部を抱え込むように配してあり、クーラーバッグ本体Ａや外装体Ｃが部分的に損傷することが無いように形成してあると共に、クーラーバッグ本体Ａや外装体Ｃ内のクーラーバッグ本体Ａをバランス良く持ち運べるように形成されている。
【００３９】
前記外装体Ｃは、例えば、合成樹脂シート材や適宜織地やその他の適宜素材等によって可撓性を有する横長中空円柱状に形成され、その周壁上部に筒芯方向に対して平行な開閉部３０が設けてある。しかも、この開閉部３０は、外装体Ｃの両端部に跨るように設けられており、大きく開口可能で、クーラーバッグ本体Ａを収納し易く（また、取出し易く）なるように形成されている。尚、開閉部３０は、例えば、開閉操作が確実に且つ簡単に行えるファスナー等が使用される。
【００４０】
ところで、外がわ二重空気袋Ａ１の外袋１と内袋２の間や、中間二重空気袋Ａ２の外袋１０と内袋１１の間や、外がわ二重空気袋Ａ１と中間二重空気袋Ａ２の間の隙間空間には、空気を吹き込むように説明したが、例えば、適宜携帯ボンベに適宜ガスと共に発泡性材料を充填したものを一緒に携帯できるように形成し、釣用携帯クーラーバッグを利用する際に、携帯ボンベのガス及び発泡性材料を、前記空間全てに、或いは個別に、空気の代わりに吹き込むようにしても良い。このとき、発泡性材料は、前記空間内にある程度充填された状態で硬化するようなものが利用される。すなわち、硬化した発泡性材料による断熱層が簡単に形成され、クーラーバッグ本体Ａがより断熱性に優れたものとなると共に、クーラーバッグ本体Ａ自体の強度が更に向上して、より屈曲し難いものとなる。ただし、空気の吹き込みと異なり、再利用することが難しいものとなる。
【００４１】
尚、釣用携帯クーラーバッグの具体的構成、形状、寸法、材質、クーラーバッグ本体Ａの具体的構成、形状、寸法、材質、外がわ二重空気袋Ａ１の具体的構成、形状、寸法、材質、中間二重空気袋Ａ２の具体的構成、形状、寸法、材質、配設位置、魚収納袋Ａ３の具体的構成、形状、寸法、材質、配設位置、隙間空間の有無、具体的構成、形状、寸法、外袋１の具体的構成、形状、寸法、材質、内袋２の具体的構成、形状、寸法、材質、区画壁部３の具体的構成、形状、寸法、数、配設位置、開閉部４の具体的構成、形状、寸法、配設位置、吹込部５の具体的構成、形状、寸法、材質、数、配設位置、外袋１０の具体的構成、形状、寸法、材質、内袋１１の具体的構成、形状、寸法、材質、区画壁部１２の具体的構成、形状、寸法、数、配設位置、開閉部１３の具体的構成、形状、寸法、配設位置、吹込部１４の具体的構成、形状、寸法、材質、数、配設位置、連結片１５の具体的構成、形状、寸法、材質、数、配設位置、吹込部１６の具体的構成、形状、寸法、材質、数、配設位置、開閉部２０の具体的構成、形状、寸法、配設位置、ベルトＢの具体的構成、形状、寸法、材質、配設位置、外装体Ｃの具体的構成、形状、寸法、材質、開閉部３０の具体的構成、形状、寸法、配設位置等は図示例のものなどに限定されることなく適宜自由に設定、変更できるものである。
【産業上の利用可能性】
【００４２】
しかして、本考案の釣用携帯クーラーバッグは、使用時には空気を吹き込み立体化して、釣った魚等を保冷状態で持ち運びでき、不使用時には小さく折畳め、特に、軽量で、断熱効果が高く、魚等を確実に保冷できるようになる。
【符号の説明】
【００４３】
Ａ      クーラーバッグ本体
Ａ１    外がわ二重空気袋
Ａ２    中間二重空気袋
Ａ３    魚収納袋
１      外袋
２      内袋
３      区画壁部
４      開閉部
５      吹込部
１０    外袋
１１    内袋
１２    区画壁部
１３    開閉部
１４    吹込部
１５    連結片
１６    吹込部
２０    開閉部
Ｂ      ベルト
Ｃ      外装体
３０    開閉部
【図１】
0003152278.tif 000003
【図２】
0003152278.tif 000004
【図３】
0003152278.tif 000005
【図４】
0003152278.tif 000006
【図５】
0003152278.tif 000007
【図６】
0003152278.tif 000008